(57)【要約】  本発明は、データを光ディスクに書き込む方法及び装置を提供し、この方法は、出力信号を光読取りヘッドから回収するステップと、光読取りヘッドにより光ディスクから導き出された二次データに応答して前記出力信号をスケール変更するステップと、光ディスクへの記録の際に用いられるＬＰＰ信号を前記スケール変更済み出力信号から導き出すステップとを有し、前記スケール変更は、ＬＰＰ信号が低光反射率の光ディスク上のマークに隣接して位置するものと識別されたときにＬＰＰ信号を増強するよう構成されている。
2008503019.tif 000002
【特許請求の範囲】
【請求項１】
データを光ディスクに書き込む方法であって、
出力信号を光読取りヘッドから得るステップと、
前記光読取りヘッドにより前記光ディスクから導き出された二次データに応答して前記出力信号をスケール変更するステップと、
前記光ディスクへの記録の際に用いられるＬＰＰ信号を前記スケール変更後の出力信号から導き出すステップとを有し、前記スケール変更は、前記ＬＰＰ信号が低光反射率の前記光ディスク上のマークに隣接して位置するものと識別されたときに前記ＬＰＰ信号を増強するよう構成されている、方法。
【請求項２】
前記二次データは、８−１４変調（ＥＦＭ）データから成る、請求項１記載の方法。
【請求項３】
前記二次データは、前記光ディスクから導き出された高周波クロストーク信号のピークから導き出される、請求項１記載の方法。
【請求項４】
前記出力信号は、プッシュプル信号から成る、請求項１、２又は３記載の方法。
【請求項５】
前記プッシュプル信号は、バランスのとれたプッシュプル信号である、請求項４記載の方法。
【請求項６】
前記プッシュプル信号は、低域フィルタにかけたプッシュプル信号と低域フィルタにかけたＨＦクロストーク信号の差から求めることができる、請求項５記載の方法。
【請求項７】
データを光ディスクに書き込む装置であって、
出力信号を光読取りヘッドから得る手段と、
前記光読取りヘッドにより前記光ディスクから得た二次データに応答して前記出力信号をスケール変更する手段と、
記録の際に用いられるＬＰＰ信号を前記スケール変更後の出力信号から導き出す手段とを有し、前記スケール変更は、前記ＬＰＰ信号が低光反射率の前記光ディスク上のマークに隣接して位置するものと識別されたときに前記ＬＰＰ信号を増強するよう構成されている、装置。
【請求項８】
前記二次データは、８−１４変調データから成る、請求項７記載の装置。
【請求項９】
前記二次データは、前記光ディスクから導き出された高周波クロストーク信号のピークから導き出される、請求項７記載の装置。
【発明の詳細な説明】
【開示の内容】
【０００１】
本発明は、データを光ディスクに書き込む方法及び装置に関する。
【０００２】
情報を書き込むことができ、所望に応じて任意的に書き換えることができる光ディスク、例えばＤＶＤ−Ｒ及びＤＶＤ−ＲＷディスクは、ディジタルデータを格納する主要な媒体としてますます普及している。
【０００３】
かかるディスクは一般に、光ディスクへのデータの書込み中及び光ディスクからのデータの読取り時に正確なトラッキングを達成するようフィードバック信号を光ディスクドライブの光書込みユニットにもたらすよう構成された顕微鏡レベルのスパイラル溝を有する。
【０００４】
かかる溝は一般に、隣り合うスパイラルランドと溝により形成される。ランド・プリピット（Land Pre-Pits）の形態をしたエンボス加工微細構造が、光ディスクのランド内に設けられるのが通例であり、これらエンボス加工微細構造は一般に、ディスクアドレス情報及び関連の補助データをもたらすために用いられる。
【０００５】
現行のＤＶＤ−Ｒ及びＤＶＤ−ＲＷ記録システムでは、光ヘッドがランド・プリピット（ＬＰＰ）、すなわち、所謂ＬＰＰ信号に出会ったときに生じる信号をディスクのプレーバック中に用いる。
【０００６】
ＬＰＰ信号は一般に、ディスクへのデータの書込みの際は用いられないことが知られている。しかしながら、ＬＰＰ信号をディスクへのデータの書込みの際に用いれば、潜在的な利点、例えば、検証及びディスクアドレス並びに書込みクロックの微同調を達成できることが分かっている。このようにすると、ディスクへのデータの書込み品質が向上するので有利である。
【０００７】
しかしながら、所要のマーク及びスペースを達成するようディスクへの書込みを行う際、光ヘッド内に用いられるレーザ出力の差が大きいことに鑑みて、ＬＰＰ信号をディスクへのかかる書込みの際、特に、ＬＰＰが低光反射率特性をもつ長いスペースに隣接して配置されている場合には容易に検出することはできないということが判明している。
【０００８】
さらに、公知の信号処理法は、ＬＰＰ信号の検出を向上させる上で適していないと考えられる。というのは、ＬＰＰ信号の帯域幅は、これよりも長い書込み信号パルスの帯域幅に酷似しているからである。
【０００９】
本発明は、かかる公知の方法及び装置と比べて利点を奏する光ディスクへのデータの書込み方法及び装置を提供しようとするものである。
【００１０】
本発明の第１の特徴によれば、データを光ディスクに書き込む方法であって、
出力信号を光読取りヘッドから得るステップと、
光読取りヘッドにより光ディスクから導き出された二次データに応答して出力信号をスケール変更するステップと、
光ディスクへの記録の際に用いられるＬＰＰ信号をスケール変更後の出力信号から導き出すステップとを有し、スケール変更は、ＬＰＰ信号が低光反射率の光ディスク上のマークに隣接して位置するものと識別されたときにＬＰＰ信号を増強するよう構成されている方法が提供される。
【００１１】
光ディスクへの書込み中に生じるＬＰＰ信号を有利に用いることを通じて本発明により記録性能を向上させることができるので有利である。
【００１２】
二次データは、８−１４変調（ＥＦＭ）データ又は光ディスクから導き出された高周波クロストーク信号のピークから導き出されるデータから成るのが有利である。
【００１３】
特定の一実施形態では、出力信号は、プッシュプル信号から成り、このプッシュプル信号は、バランスのとれたプッシュプル信号である。
【００１４】
バランスのとれたプッシュプル信号は低域フィルタにかけたプッシュプル信号と低域フィルタにかけたＨＦクロストーク信号の差から求めることができる。
【００１５】
採用されるスケール変更ファクタは、微弱なＨＦクロストーク信号が生じたときに一定の値を有するよう設定されると有利である。
【００１６】
本発明の別の特徴によれば、データを光ディスクに書き込む装置であって、
出力信号を光読取りヘッドから得る手段と、
光読取りヘッドにより光ディスクから得た二次データに応答して出力信号をスケール変更する手段と、
記録の際に用いられるＬＰＰ信号をスケール変更後の出力信号から導き出す手段とを有し、スケール変更は、ＬＰＰ信号が低光反射率の光ディスク上のマークに隣接して位置するものと識別されたときにＬＰＰ信号を増強するよう構成されている装置が提供される。
【００１７】
本装置は更に、本発明の方法と関連して上述した利点をもたらす適当な手段を備えるよう構成されることができる。
【００１８】
添付の図面を参照して本発明を以下に更に説明するが、これは例示に過ぎない。
【００１９】
図１を参照すると、データを書き込むことができる光ディスク１０の一部の断面図が示されており、この光ディスクは、光読取り／書込みヘッド（図示せず）によってデータマーク１４が書き込まれるスパイラル状の溝１２を有している。溝１２は、スパイラルランド１６により互いに分離されている。理解できるように、ランド１６の上縁部は、光読取り／書込みヘッドにより検出される所謂ウォブル（蛇行）信号をもたらすよう構成された正弦波形態を備えている。このウォブル信号は、当該技術分野においては、良く知られているように光読取り装置を書込みヘッドの正確なトラッキングを助けるために用いられ、従って、これについて本明細書ではそれ以上説明しない。
【００２０】
次に図２を参照すると、データを光ディスクに書き込む装置の一部を形成する装置又は構成例２２が示されている。
【００２１】
この構成例には、光読取り／書込みヘッド（図示せず）と関連したアナログ−ディジタル変換器から高周波クロストーク信号２８及びプッシュプル信号３０をそれぞれ受け取るよう構成された１対の低域フィルタ２４，２６が設けられている。
【００２２】
低域フィルタにかけられたプッシュプル信号３０からの出力信号を差出力ユニット（difference unit ）３２に送り、ここからバランスのとれたプッシュプル信号３４が導き出される。
【００２３】
バランスのとれたプッシュプル信号３４を積分器及びダンプユニット３６に送り、その出力をＰＩコントローラ３８に送る。ユニット３６，３８は、乗算器４０により、低域フィルタにかけられた高周波クロストーク信号２８と結合された係数（ＣＯＥＦ）をもたらすよう構成されている。
【００２４】
次に、乗算器４０からの出力を差出力ユニット３２に送り、かかる出力は、低域フィルタにかけられたプッシュプル信号３０と組み合わさって上述のバランスのとれたプッシュプル信号３４を生じさせるのに役立つ。
【００２５】
図示のように、バランスのとれたプッシュプル信号３４は、乗算器４２にも送られ、この乗算器のところで、かかるバランスのとれたプッシュプル信号は、スケール変更ユニット４４からの出力によりスケール変更される。
【００２６】
次に、スケール変更された出力を畳み込み装置４６に送り、この畳み込み装置は、ＬＰＰ状ウェーブレットＷによりスケール変更後のバランスのとれたプッシュプル信号３４の畳み込みを可能にするよう構成されている。
【００２７】
ユニット４６内におけるこの畳み込みの結果を帯域幅フィルタ４８に送り、これから最終のＬＰＰ信号５０を導き出す。
【００２８】
図２の図示の実施形態では、スケール変更ユニット４４は、ＥＭＦデータクロックから出力されたＥＦＭＤ信号のｎレベルで定めることができる複数個の定数のうちの１つをもたらすよう構成されている。変形例として、定数をＨＦクロストーク信号の振幅レベルからかかる信号のピークレベル及びボトムレベルの検出により導き出すことができ、この場合、レベル“ｎ”の数を求めると、ディジタル信号プロセッサ又はこれに類似したディジタルハードウェアでＬＰＰ信号の標準偏差を計算することができる。
【００２９】
図３を参照すると、本発明の別の実施形態が示されており、かかる実施形態では、係数を計算するために追加の乗算器が設けられており、この追加乗算器は、バランスのとれたプッシュプル信号に低域フィルタにかけられた高周波クロストーク信号を乗算するのに役立つ。
【００３０】
図示のように、図３の実施形態の構造は次の通りである。
【００３１】
装置１２２はこの場合も又、ＨＦクロストーク信号１２８及びプッシュプル信号１３０をそれぞれ受け取る１対の低域フィルタ１２４，１２６を有する光ディスクへの書込み装置の一部を形成している。
【００３２】
低域フィルタにかけられたプッシュプル信号１３０を差出力ユニット１３２に送り、バランスのとれたプッシュプル信号１３４をこの差出力ユニットから導き出す。
【００３３】
この場合も又、バランスのとれたプッシュプル信号１３４を一体形ダンプユニット１３６及びＰＩコントローラ１３８の組合せに送る。ただし、この特定の実施形態では、バランスのとれたプッシュプル信号１３４を乗算器１５２経由で送り、この乗算器１５２のところで、バランスのとれたプッシュプル信号１３４に低域フィルタにかけられたＨＦクロストーク信号１２８を乗算する。
【００３４】
かくして、図３の構成では、係数（ＣＯＥＦ）をバランスのとれたプッシュプル信号と低域フィルタにかけられたＨＦクロストーク信号の乗算に基づいて計算し、その際にスケール変更ユニット１４４で用いられた定数の値を最適出力較正法の実施中に確認し、その後新しいディスクに記録する。
【００３５】
一般に、定数値のうちの大きいものは、ＬＰＰがディスク上の比較的長いスペースに隣接して配置されているときに生じる比較的小さなバランスのとれたプッシュプル信号をブーストするために選択される。
【００３６】
ＬＰＰ状ウェーブレットＷによるプッシュプル信号の畳み込みに関し、ウェーブレットは、長さ“ｋ”を有するＬＰＰ波形の理想的な形態を有し、この長さ“ｋ”は、システムのサンプリングレート及び記録速度に基づいて決定される。
【００３７】
図２の場合と同様、最終のＬＰＰ信号１５０を得るために、畳み込み信号から導き出されたＤＣ成分を除去するために帯域幅フィルタ１４８が設けられている。
【００３８】
次に図４を参照すると、ＥＦＭデータクロック信号、これとＥＦＭデータ信号との関係、スケール変更ユニット４４に印加されるべき３つの定数値の選択法及び結果としてのＲＦ信号が記載されている。
【００３９】
ＬＰＰ検出中に生じるＳＮ比は有利には、ディスクの記録中、著しく増大する。
【００４０】
図５Ａ及び図５Ｂを参照すると、図５Ａの技術の現状に従って生じるトレースと、比較目的で、図５Ｂの本発明に従って生じるトレースが記載されている。
【００４１】
図５Ａを参照すると、高周波ウォブル信号５２ａの中央トレース及び別々のＬＰＰ信号５４ａ，５６ａが示されており、これらＬＰＰ信号は、理解されるようにウォブル信号５２ａから容易には識別できない。
【００４２】
しかしながら、本発明の方法によれば、図５Ｂに示すように、ＬＰＰ信号５４ｂ，５６ｂは、ウォブル信号５２ｂの中央トレースから容易に識別できる。
【００４３】
かくして、本発明の利用により、ＬＰＰ信号を光ディスクへの書込み中に容易に使用に供することができ、従って、ディスク、例えばＤＶＤ−Ｒ及びＤＶＤ−ＲＷディスクへの書込みの際の記録性能が大幅に向上するようになる。この場合、例えばディスクアドレスの検証及び書込みクロックの微同調のような利点を達成できる。
【００４４】
本発明は記録可能な光ディスクシステム、例えばＤＶＤ−Ｒ及びＤＶＤ−ＲＷシステムに有利に利用できるが、本発明は同様に、システムＩＣ及び一般的な光ディスク仕様の範囲内で容易に具体化できる。
【００４５】
本発明のスケール変更方式の利用により、記録品質における有利な向上を達成することができる。
【図面の簡単な説明】
【００４６】
【図１】本発明に従って処理を行うための信号を表示させるよう構成された光ディスクの部分断面斜視図である。
【図２】本発明の一実施形態の構成を示す概略ブロック図である。
【図３】本発明の別の実施形態の構成の概略ブロック図である。
【図４】本発明の範囲内での所要のスケール変更を行うために用いられる定数の選択法を示すタイミング図である。
【図５Ａ】先行技術及び本発明に関するＬＰＰ信号の比較トレースを示す図である。
【図５Ｂ】先行技術及び本発明に関するＬＰＰ信号の比較トレースを示す図である。
【図１】
2008503019.tif 000003
【図２】
2008503019.tif 000004
【図３】
2008503019.tif 000005
【図４】
2008503019.tif 000006
【図５Ａ】
2008503019.tif 000007
【図５Ｂ】
2008503019.tif 000008
【国際調査報告】
2008503019.tif 000009
2008503019.tif 000010